(57)【要約】  本開示は、非対称スペクトラムのＢＷＰ切り替え方法、端末およびネットワーク機器を開示する。当該方法において、ＰＤＳＣＨスケジューリング用の第１ＤＣＩが検出されない場合、検出したＰＵＳＣＨスケジューリング用の第２ＤＣＩに基づいてタイマーをリセットするステップと、リセットしたタイマーが切れると、現在のＢＷＰをデフォルトＢＷＰに切り替えるステップとを含む。
2021500810.tif 000002
【特許請求の範囲】
【請求項１】
端末側に応用される非対称スペクトラムのＢＷＰ（ｂａｎｄｗｉｄｔｈ  ｐａｒｔ）切り替え方法において、
ＰＤＳＣＨ（Ｐｈｙｓｉｃａｌ  Ｄｏｗｎｌｉｎｋ  Ｓｈａｒｅ  Ｃｈａｎｎｅｌ）スケジューリング用の第１ＤＣＩ（Ｄｏｗｎｌｉｎｋ  Ｃｏｎｔｒｏｌ  Ｉｎｆｏｒｍａｔｉｏｎ）が検出されない場合、検出したＰＵＳＣＨ（Ｐｈｙｓｉｃａｌ  Ｕｐｌｉｎｋ  Ｓｈａｒｅ  Ｃｈａｎｎｅｌ）スケジューリング用の第２ＤＣＩに基づいてタイマーをリセットするステップと、
リセットしたタイマーが切れると、現在のＢＷＰをデフォルトＢＷＰに切り替えるステップとを含む、非対称スペクトラムのＢＷＰ切り替え方法。
【請求項２】
検出したＰＵＳＣＨスケジューリング用の第２ＤＣＩに基づいてタイマーをリセットするステップは、
前記第２ＤＣＩが検出された場合、タイマーの現在値とタイマーのタイムアウト値との差がＰＵＳＣＨの待ちおよび伝送の時間より小さい場合、前記タイマーをリセットするステップを含む、請求項１に記載の非対称スペクトラムのＢＷＰ切り替え方法。
【請求項３】
前記のタイマーをリセットするステップは、
タイマーの現在値を第１所定数の時間領域伝送ユニットだけ戻すことを含み、
ここで、前記第１所定数は、タイマーの現在値とタイマーの初期値との差である第１値と、ＰＵＳＣＨの待ちおよび伝送の時間に含まれる時間領域伝送ユニットの数である第２値のうちの小さいほうの値であり、
または、
前記第１所定数は、前記第２値と、タイマーの現在値とタイマーのタイムアウト値との差である第３値との差以上である、請求項１に記載の非対称スペクトラムのＢＷＰ切り替え方法。
【請求項４】
タイマーをリセットするステップは、
前記タイマーが切れると、タイマーのタイムアウト値を第２所定数の時間領域伝送ユニットだけ戻すことを含み、
ここで、前記第２所定数は、ＰＵＳＣＨの待ちおよび伝送の時間に含まれる時間領域伝送ユニットの数である第２値と、タイマーの現在値とタイマーのタイムアウト値との差である第３値との差以上である、請求項１に記載の非対称スペクトラムのＢＷＰ切り替え方法。
【請求項５】
前記第２値は、前記第２ＤＣＩとスケジューリング対象の前記ＰＵＳＣＨとの間隔の時間領域伝送ユニット数と、前記ＰＵＳＣＨに占用される時間領域伝送ユニット数との和である、請求項３または４に記載の非対称スペクトラムのＢＷＰ切り替え方法。
【請求項６】
前記時間領域伝送ユニットは、サブフレーム、スロット、ミニスロットおよび時間領域伝送シンボルのうちの一つを含む、請求項３に記載の非対称スペクトラムのＢＷＰ切り替え方法。
【請求項７】
検出したＰＵＳＣＨスケジューリング用の第２ＤＣＩに基づいてタイマーをリセットするステップは、
前記検出した第２ＤＣＩによって、前記ＰＵＳＣＨのデフォルトＢＷＰへのマッピングを指示すると、前記タイマーが計時を継続するステップを含み、
前記タイマーが計時を継続するステップの後に、
前記タイマーが切れると、現在のＢＷＰをデフォルトＢＷＰに切り替えるステップをさらに含む、請求項１に記載の非対称スペクトラムのＢＷＰ切り替え方法。
【請求項８】
ＰＤＳＣＨスケジューリング用の第１ＤＣＩが検出されない場合、検出したＰＵＳＣＨスケジューリング用の第２ＤＣＩに基づいてタイマーをリセットするためのリセットモジュールと、
リセットしたタイマーが切れると、現在のＢＷＰをデフォルトＢＷＰに切り替えるための第１切り替えモジュールとを含む、端末。
【請求項９】
前記リセットモジュールは、
前記第２ＤＣＩが検出された場合、タイマーの現在値とタイマーのタイムアウト値との差がＰＵＳＣＨの待ちおよび伝送の時間より小さい場合、前記タイマーをリセットするための第１リセットサブモジュールを含む、請求項８に記載の端末。
【請求項１０】
前記リセットモジュールは、
タイマーの現在値を第１所定数の時間領域伝送ユニットだけ戻すための第２リセットサブモジュールをさらに含み、
ここで、前記第１所定数は、タイマーの現在値とタイマーの初期値との差である第１値と、ＰＵＳＣＨの待ちおよび伝送の時間に含まれる時間領域伝送ユニットの数である第２値のうちの小さいほうの値であり、
または、
前記第１所定数は、前記第２値と、タイマーの現在値とタイマーのタイムアウト値との差である第３値との差以上である、請求項８に記載の端末。
【請求項１１】
前記リセットモジュールは、
前記タイマーが切れると、タイマーのタイムアウト値を第２所定数の時間領域伝送ユニットだけ戻すための第３リセットサブモジュールをさらに含み、
ここで、前記第２所定数は、ＰＵＳＣＨの待ちおよび伝送の時間に含まれる時間領域伝送ユニットの数である第２値と、タイマーの現在値とタイマーのタイムアウト値との差である第３値との差以上である、請求項８に記載の端末。
【請求項１２】
前記第２値は、前記第２ＤＣＩとスケジューリング対象の前記ＰＵＳＣＨとの間隔の時間領域伝送ユニット数と、前記ＰＵＳＣＨに占用される時間領域伝送ユニット数との和である、請求項１０または１１に記載の端末。
【請求項１３】
前記時間領域伝送ユニットは、サブフレーム、スロット、ミニスロットおよび時間領域伝送シンボルのうちの一つを含む、請求項１０に記載の端末。
【請求項１４】
前記検出した第２ＤＣＩによって、前記ＰＵＳＣＨのデフォルトＢＷＰへのマッピングを指示すると、前記タイマーが計時を継続するための計時モジュールと、
前記タイマーが切れると、現在のＢＷＰをデフォルトＢＷＰに切り替えるための第２切り替えモジュールとをさらに含む、請求項８に記載の端末。
【請求項１５】
プロセッサと、メモリと、前記メモリに格納されて前記プロセッサで実行可能なコンピュータプログラムを含む端末において、
前記コンピュータプログラムが前記プロセッサによって実行されると、請求項１〜７のいずれか一項に記載の非対称スペクトラムのＢＷＰ切り替え方法のステップが実現される、端末。
【請求項１６】
ネットワーク機器側に応用される非対称スペクトラムのＢＷＰ切り替え方法において、
ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングするステップを含む、非対称スペクトラムのＢＷＰ切り替え方法。
【請求項１７】
前記所定数は、端末のタイマーに含まれる時間領域伝送ユニットの数と、ＰＵＳＣＨの待ちおよび伝送の時間に含まれる時間領域伝送ユニットの数との差である、請求項１６に記載の非対称スペクトラムのＢＷＰ切り替え方法。
【請求項１８】
次回のＰＵＳＣＨを前記端末のデフォルトＢＷＰにスケジューリングするステップは、
前記端末が現在のＢＷＰからデフォルトＢＷＰに切り替わると、次回のＰＵＳＣＨをデフォルトＢＷＰにスケジューリングするための第２ＤＣＩをデフォルトＢＷＰによって端末に送信するステップ、
または、
次回のＰＵＳＣＨをデフォルトＢＷＰにスケジューリングするための第２ＤＣＩを現在のＢＷＰによって端末に送信するステップを含む、請求項１６に記載の非対称スペクトラムのＢＷＰ切り替え方法。
【請求項１９】
前記時間領域伝送ユニットは、サブフレーム、スロット、ミニスロットおよび時間領域伝送シンボルのうちの一つを含む、請求項１６に記載の非対称スペクトラムのＢＷＰ切り替え方法。
【請求項２０】
ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングするためのスケジューリングモジュールを含む、ネットワーク機器。
【請求項２１】
前記所定数は、端末のタイマーに含まれる時間領域伝送ユニットの数と、ＰＵＳＣＨの待ちおよび伝送の時間に含まれる時間領域伝送ユニットの数との差である、請求項２０に記載のネットワーク機器。
【請求項２２】
前記スケジューリングモジュールは、
前記端末が現在のＢＷＰからデフォルトＢＷＰに切り替わると、次回のＰＵＳＣＨをデフォルトＢＷＰにスケジューリングするための第２ＤＣＩをデフォルトＢＷＰによって端末に送信するための第１スケジューリングサブモジュール、
または、
次回のＰＵＳＣＨをデフォルトＢＷＰにスケジューリングするための第２ＤＣＩを現在のＢＷＰによって端末に送信するための第２スケジューリングサブモジュールを含む、請求項２０に記載のネットワーク機器。
【請求項２３】
前記時間領域伝送ユニットは、サブフレーム、スロット、ミニスロットおよび時間領域伝送シンボルのうちの一つを含む、請求項２０に記載のネットワーク機器。
【請求項２４】
プロセッサと、メモリと、前記メモリに格納されて前記プロセッサで実行可能なコンピュータプログラムを含むネットワーク機器において、
前記プロセッサは、前記コンピュータプログラムを実行すると、請求項１６〜１９のいずれか一項に記載の非対称スペクトラムのＢＷＰ切り替え方法のステップを実現する、ネットワーク機器。
【請求項２５】
コンピュータプログラムが格納されているコンピュータ読み取り可能な記憶媒体であって、
前記コンピュータプログラムがプロセッサによって実行されると、請求項１〜７、または、請求項１６〜１９のいずれか一項に記載の非対称スペクトラムのＢＷＰ切り替え方法のステップが実現される、コンピュータ読み取り可能な記憶媒体。
【発明の詳細な説明】
【技術分野】
【０００１】
本開示は、通信技術分野に係り、特に非対称スペクトラムのＢＷＰ切り替え方法、端末およびネットワーク機器に係る。
【背景技術】
【０００２】
本願は、２０１７年１１月１４日に中国特許庁に提出された中国特許出願２０１７１１１２２３４５．４の優先権を主張し、その全ての内容が援用によりここに取り込まれる。
【０００３】
従来の移動通信システムに比較し、将来の５Ｇ（５th  ｇｅｎｅｒａｔｉｏｎ）移動通信システム（またはＮＲ（Ｎｅｗ  Ｒａｄｉｏ）システムと称される）は、より多様化するシーンやトラフィックニーズに適応する必要がある。ｅＭＢＢ（Ｅｎｈａｎｃｅ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  ｏｆ  Ｃｏｍｍｕｎｉｃａｔｉｏｎ）、ｕＲＬＬＣ（ｕｌｔｒａ  Ｒｅｌｉａｂｌｅ  ＆Ｌｏｗ  Ｌａｔｅｎｃｙ  Ｃｏｍｍｕｎｉｃａｔｉｏｎ）を含む５Ｇの主なシーンは、システムの高い信頼性、低遅延、広帯域幅、広いカバレッジなどを求める。異なるニーズのサービスや異なる応用シーンを満たすために、ＮＲシステムのサブキャリア間隔としては、従来の４Ｇ（４ｔｈ  Ｇｅｎｅｒａｔｉｏｎ）移動通信システム（またはＬＴＥ（Ｌｏｎｇ  Ｔｉｍｅ  Ｅｖｏｌｕｔｉｏｎ）システムと称される）で単一の１５ｋＨｚが用いられることとは異なり、多種類のサブキャリア間隔がシステムでサポートされ、それぞれ異なるシーンに適用できる。たとえば、高周波、広帯域幅に対し、大きめのサブキャリア間隔が配置される。また、大きいサブキャリア間隔は、時間領域では小さいシンボル長さに対応し、低遅延サービスの要件を満たすことができる。
【０００４】
ＮＲシステムにおいて、各搬送波のチャネル帯域幅（ｃｈａｎｎｅｌ  ｂａｎｄｗｉｄｔｈ）は、最大で４００ＭＨｚに達するが、端末能力を考慮すると、端末でサポートされる最大帯域幅は、４００ＭＨｚより小さい可能性があり、かつ端末が複数の小さいＢＷＰ（ｂａｎｄｗｉｄｔｈ  ｐａｒｔ，ＢＷＰ）で動作可能である。各ＢＷＰは、一つのヌメロロジー（Ｎｕｍｅｒｏｌｏｇｙ）、帯域幅（ｂａｎｄｗｉｄｔｈ）および周波数領域位置（ｆｒｅｑｕｅｎｃｙ  ｌｏｃａｔｉｏｎ）に対応する。ＦＤＤ（Ｆｒｅｑｕｅｎｃｙ  Ｄｉｖｉｓｉｏｎ  Ｄｕｐｌｅｘｉｎｇ，ＦＤＤ）システムや対称スペクトラム（ｐａｉｒｅｄ  ｓｐｅｃｔｒｕｍ）システムでは、ネットワーク機器から端末に多くても最大で４つのＤＬ  ＢＷＰ（Ｄｏｗｎｌｉｎｋ  ｂａｎｄｗｉｄｔｈ  ｐａｒｔ）と多くても最大で４つのＵＬ  ＢＷＰ（Ｕｐｌｉｎｋ  ｂａｎｄｗｉｄｔｈ  ｐａｒｔ）を配置する。ＴＤＤ（Ｔｉｍｅ  Ｄｉｖｉｓｉｏｎ  Ｄｕｐｌｅｘｉｎｇ，ＴＤＤ）システムや非対称スペクトラムシステムでは、ネットワーク機器から端末に多くても最大で４つのＤＬ／ＵＬ  ＢＷＰ  ｐａｉｒを配置し、各ＤＬ／ＵＬ  ＢＷＰ  ｐａｉｒでＤＬ  ＢＷＰとＵＬ  ＢＷＰの中心キャリア周波数が同じである。ここで、各端末では一つのデフォルト（ｄｅｆａｕｌｔ）ＤＬ  ＢＷＰまたはデフォルトＤＬ／ＵＬ  ＢＷＰ  ｐａｉｒが配置されており、一般的に、デフォルトＤＬ  ＢＷＰまたはデフォルトＤＬ／ＵＬ  ＢＷＰ  ｐａｉｒは、相対的に小さい帯域幅のＢＷＰである。端末は、長期間にわたりデータを受信できなかった場合やＰＤＣＣＨ（Ｐｈｙｓｉｃａｌ  Ｄｏｗｎｌｉｎｋ  Ｃｏｎｔｒｏｌ  Ｃｈａｎｎｅｌ）を検出できなかった場合、一つのタイマー（ｔｉｍｅｒ）によって、現在の活性化（ａｃｔｉｖｅ）ＢＷＰからデフォルトＤＬ  ＢＷＰまたはデフォルトＤＬ／ＵＬ  ＢＷＰ  ｐａｉｒに切り替わり、節電効果を達成する。
【０００５】
端末は、現在の活性化ＢＷＰから、デフォルトＤＬ  ＢＷＰとは異なるもう一つのＤＬ  ＢＷＰに切り替わると、タイマーによる計時を開始する。端末は、ＰＤＳＣＨ（Ｐｈｙｓｉｃａｌ  Ｄｏｗｎｌｉｎｋ  Ｓｈａｒｅ  Ｃｈａｎｎｅｌ）スケジューリング用のＤＣＩ（Ｄｏｗｎｌｉｎｋ  Ｃｏｎｔｒｏｌ  Ｉｎｆｏｒｍａｔｉｏｎ）の復調に成功すると、タイマーによる計時をリスタートし、タイマーを初期値にセットする。タイマーが切れる（ｔｉｍｅｒ  ｅｘｐｉｒｅｓ）と、端末は、デフォルトＤＬ  ＢＷＰに切り替わる。非対称スペクトラムシステムの場合、各ＤＬ  ＢＷＰは、一つのＵＬ  ＢＷＰとはぺアになる。ＤＬ  ＢＷＰが切り替わる際に、対応するＵＬ  ＢＷＰも一緒に切り替わる必要がある。しかし、ＰＤＳＣＨ（Ｐｈｙｓｉｃａｌ  Ｄｏｗｎｌｉｎｋ  Ｓｈａｒｅ  Ｃｈａｎｎｅｌ）が事前にスケジューリングされ、すなわちアップリンクグラント（ＵＬ  ｇｒａｎｔ）は、データ伝送の前からＫ個のスロット（ｓｌｏｔ）で送信される。すると、端末では一定期間中にダウンリンクデータのスケジューリングが行われない可能性があるため、タイマーが切れてデフォルトＤＬ  ＢＷＰに切り替わる必要がある。この場合、ＵＬ  ＢＷＰも一緒に切り替わる必要がある。しかし、遅延Ｋに達しておらずタイマーが切れる場合、ＵＬ  ＢＷＰがＤＬ  ＢＷＰに追従して一緒に切り替わると、アップリンクスケジューリングができないことにつながる。
【発明の概要】
【０００６】
第１方面では、本開示の実施例は、端末側に応用される非対称スペクトラムのＢＷＰ切り替え方法を提供する。当該方法において、ＰＤＳＣＨスケジューリング用の第１ＤＣＩが検出されない場合、検出したＰＵＳＣＨスケジューリング用の第２ＤＣＩに基づいてタイマーをリセットするステップと、リセットしたタイマーが切れると、現在のＢＷＰをデフォルトＢＷＰに切り替えるステップとを含む。
【０００７】
第２方面では、本開示の実施例は、ＰＤＳＣＨスケジューリング用の第１ＤＣＩが検出されない場合、検出したＰＵＳＣＨスケジューリング用の第２ＤＣＩに基づいてタイマーをリセットするためのリセットモジュールと、リセットしたタイマーが切れると、現在のＢＷＰをデフォルトＢＷＰに切り替えるための第１切り替えモジュールとを含む端末をさらに提供する。
【０００８】
第３方面では、本開示の実施例は、プロセッサと、メモリと、メモリに格納されてプロセッサで実行可能なコンピュータプログラムを含む端末をさらに提供する。コンピュータプログラムがプロセッサによって実行されると、上記の非対称スペクトラムのＢＷＰ切り替え方法のステップが実現される。
【０００９】
第４方面では、本開示の実施例は、ネットワーク機器側に応用される非対称スペクトラムのＢＷＰ切り替え方法をさらに提供する。当該方法において、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングするステップを含む。
【００１０】
第５方面では、本開示の実施例は、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングするためのスケジューリングモジュールを含むネットワーク機器をさらに提供する。
【００１１】
第６方面では、本開示の実施例は、プロセッサと、メモリと、メモリに格納されてプロセッサで実行可能なコンピュータプログラムを含むネットワーク機器をさらに提供する。プロセッサは、コンピュータプログラムを実行すると、上記の非対称スペクトラムのＢＷＰ切り替え方法のステップを実現する。
【００１２】
第７方面では、本開示の実施例は、コンピュータプログラムが格納されているコンピュータ読み取り可能な記憶媒体をさらに提供する。コンピュータプログラムがプロセッサによって実行されると、上記の非対称スペクトラムのＢＷＰ切り替え方法のステップが実現される。
【００１３】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１４】
【図１】本開示の実施例における端末側の非対称スペクトラムのＢＷＰ切り替え方法のフローチャートである。
【図２】本開示の実施例におけるＢＷＰ切り替えの概略図である。
【図３】本開示の実施例における端末のモジュール概略図である。
【図４】本開示の実施例における端末のブロック図である。
【図５】本開示の実施例におけるネットワーク機器側の非対称スペクトラムのＢＷＰ切り替え方法のフローチャートである。
【図６】本開示の実施例におけるネットワーク機器のモジュール概略図である。
【図７】本開示の実施例におけるネットワーク機器のブロック図である。
【発明を実施するための形態】
【００１５】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００１６】
本願の明細書および特許請求の範囲における「第１」、「第２」などの用語は、類似対象を区別するためのものであり、特定の順番や前後順を記載することに用いられるとは限らない。なお、このように用いられるデータが適切な場合で互換可能であり、それによって、ここで記載した本願の実施例は、ここに図示または記載した順番以外の順番でも実施可能である。また、「含む」や「有する」またはそれらのあらゆる変形用語は、非排他的に含むことを意味する。たとえば、一連のステップまたはユニットを含むプロセス、方法、システム、製品または機器は、明確に列挙されているステップまたはユニットに限られず、明確に列挙されていないものや、これらのプロセス、方法、製品または機器に固有のほかのステップまたはユニットを含むことができる。
【００１７】
図１に示すように、本開示の実施例は、端末側に応用される非対称スペクトラムのＢＷＰ切り替え方法を提供し、具体的に以下のステップを含む。
【００１８】
ステップ１１において、ＰＤＳＣＨスケジューリング用の第１ＤＣＩが検出されない場合、検出したＰＵＳＣＨスケジューリング用の第２ＤＣＩに基づいてタイマーをリセットする。
【００１９】
ここで、第１ＤＣＩと第２ＤＣＩは、ＰＤＣＣＨで伝送される。端末は、ＰＤＳＣＨスケジューリング用の第１ＤＣＩを受信すると、タイマーをリセットする。具体的に、端末は、ＰＤＳＣＨスケジューリング用の第１ＤＣＩを受信すると、タイマーを初期値に復帰させ、すなわちタイマーによる計時をリスタートする。端末がＰＤＳＣＨスケジューリング用の第１ＤＣＩを検出しない場合、タイマーによる計時が継続する（タイマーは、１を足しまたは１を引く）。端末は、タイマーによる計時の開始からタイマーが切れるまで、第１ＤＣＩと第２ＤＣＩを検出できなかった場合、現在のＢＷＰからデフォルトＢＷＰに切り替わって節電効果を達成する。図２に示すように、端末のタイマーが２つ目の時間領域伝送ユニット（たとえばｓｌｏｔ）で切れるとし、端末は、１つ目のｓｌｏｔと２つ目のｓｌｏｔで第１ＤＣＩと第２ＤＣＩを検出できなかった場合、２つ目のｓｌｏｔの後に切り替わり（ｒｅｔｕｎｉｎｇ）、現在のＢＷＰからデフォルトＢＷＰに切り替わる。ここで、現在のＢＷＰは、端末に対応するＢＷＰのうち、デフォルトＢＷＰ以外のＢＷＰのうちの一つである。ここで、時間領域伝送ユニットは、サブフレーム、スロット（ｓｌｏｔ）、ミニスロット（ｍｉｎｉ−ｓｌｏｔ）および時間領域伝送シンボル（ＯＦＤＭシンボル）のうちの一つを含み、ここではｓｌｏｔを例とする。端末が１つ目のｓｌｏｔで第２ＤＣＩを検出すると、この場合に従来のＢＷＰ切り替えメカニズムを採用するのであれば、端末によって検出された第２ＤＣＩに対応するアップリンクスケジューリングは、無効のスケジューリングになる。一方、本開示の実施例の場合、このようなシーンではタイマーをリセットする。具体的なリセット値は、アップリンクスケジューリングの失敗を避けるように、第２ＤＣＩが検出された時間、タイマーの初期値、現在値およびタイムアウト値の関係、およびＰＵＳＣＨの待ちおよび伝送の時間に基づいて決定される。
【００２０】
ステップ１２において、リセットしたタイマーが切れると、現在のＢＷＰをデフォルトＢＷＰに切り替える。
【００２１】
ここで、図２に示すように、端末のタイマーが２つ目のｓｌｏｔで切れ、端末は、１つ目のｓｌｏｔで第２ＤＣＩを検出すると、タイマーをリセットし、ＰＵＳＣＨ伝送が完成しかつリセットしたタイマーが切れると、現在のＢＷＰからデフォルトＢＷＰに切り替わる。端末がタイマーをリセットすることによって、タイマーの計時期間中に検出した第２ＤＣＩに対応するアップリンクスケジューリングの失敗問題を避け、タイマーをリセットすることによって、第２ＤＣＩに対応するアップリンクスケジューリングの伝送完成を保証でき、タイマーが切れると、現在のＢＷＰからデフォルトＢＷＰに切り替わり、現在ＢＷＰで端末の正常のアップリンク伝送を保証する。
【００２２】
ここで、端末は、さらに、第２ＤＣＩが検出された場合にタイマーの現在値とタイマーのタイムアウト値との差と、ＰＵＳＣＨの待ちおよび伝送の時間との関係に基づいて、タイマーのリセットが必要であるかを決定する。具体的に、ステップ１１では、第２ＤＣＩが検出された場合、タイマーの現在値とタイマーのタイムアウト値との差がＰＵＳＣＨの待ちおよび伝送の時間より小さくなると、タイマーをリセットすることを含む。すなわち、タイマーが現在値からタイムアウト値まで計時し、第２ＤＣＩによってスケジューリングされるＰＵＳＣＨの正常の伝送を満たせない場合、端末は、タイマーをリセットする必要がある。さらに、第２ＤＣＩが検出された場合、タイマーの現在値とタイマーのタイムアウト値との差がＰＵＳＣＨの待ちおよび伝送の時間以上であれば、タイマーをリセットする必要がない。すなわち、タイマーが現在値からタイムアウト値まで計時し、第２ＤＣＩによってスケジューリングされるＰＵＳＣＨの正常の伝送を満たせる場合、端末は、タイマーをリセットする必要がない。
【００２３】
具体的に、タイマーのリセットが必要であれば、タイマーのリセットステップは、具体的に以下の方式を参照して実現される。
【００２４】
方式１：タイマーの現在値を第１所定数の時間領域伝送ユニットだけ戻す。
【００２５】
ここで、第１所定数は、タイマーの現在値とタイマーの初期値との差である第１値と、ＰＵＳＣＨの待ちおよび伝送の時間に含まれる時間領域伝送ユニットの数である第２値のうちの小さいほうの値である。ここで、タイマーにＴ個の時間領域伝送ユニットが含まれるとし、ＰＵＳＣＨスケジューリング用の第２ＤＣＩを検出した際にタイマーの現在値がｔであり、かつタイマーが大きいほうから計時する場合、ｔがＰＵＳＣＨの待ちおよび伝送の時間（Ｍ＋Ｎ）以上であれば、タイマーをリセットする必要がない。ｔが（Ｍ＋Ｎ）より小さくなると、タイマーをリセットする必要がある。具体的に、タイマーを直接初期値にリセットし、すなわちタイマーによる計時をリスタートし、また、直接タイマーをｍｉｎ｛Ｍ＋Ｎ，Ｔ−ｔ｝だけ戻してもよい。または、ＰＵＳＣＨスケジューリング用の第２ＤＣＩを検出した際にタイマーの現在値がｔ´であり、かつタイマーが小さいほうから計時する場合、Ｔ−ｔ´が（Ｍ＋Ｎ）以上であれば、タイマーをリセットする必要がない。Ｔ−ｔ´が（Ｍ＋Ｎ）より小さくなると、タイマーをリセットする必要がある。具体的に、タイマーを直接初期値にリセットし、すなわちタイマーによる計時をリスタートし、また、直接タイマーをｍｉｎ｛Ｍ＋Ｎ，ｔ´｝だけ戻してもよい。
【００２６】
または、第１所定数は、ＰＵＳＣＨの待ちおよび伝送の時間に含まれる時間領域伝送ユニットの数である第２値と、タイマーの現在値とタイマーのタイムアウト値との差である第３値との差以上である。ここで、タイマーにＴ個の時間領域伝送ユニットが含まれるとし、ＰＵＳＣＨスケジューリング用の第２ＤＣＩを検出した際にタイマーの現在値がｔであり、かつタイマーが大きいほうから計時する場合、ｔがＰＵＳＣＨの待ちおよび伝送の時間（Ｍ＋Ｎ）以上であれば、タイマーをリセットする必要がない。ｔが（Ｍ＋Ｎ）より小さくなると、タイマーをリセットする必要がある。具体的に、タイマーを少なくとも（Ｍ＋Ｎ−ｔ）個の時間領域伝送ユニットだけ戻す。または、ＰＵＳＣＨスケジューリング用の第２ＤＣＩを検出した際にタイマーの現在値がｔ´であり、かつタイマーが小さいほうから計時する場合、Ｔ−ｔ´が（Ｍ＋Ｎ）以上であれば、タイマーをリセットする必要がない。Ｔ−ｔ´が（Ｍ＋Ｎ）より小さくなると、タイマーをリセットする必要がある。具体的に、タイマーを少なくとも（Ｍ＋Ｎ−Ｔ＋ｔ´）個の時間領域伝送ユニットだけ戻す。
【００２７】
なお、タイマーをリセットした後に、端末は、引き続き第１ＤＣＩと第２ＤＣＩを検出し、第１ＤＣＩを検出すると、タイマーを初期値に復帰させ、すなわちタイマーによる計時をリスタートするが、第１ＤＣＩを検出できなかった場合、タイマーが計時を継続する（タイマーは、１を足しまたは１を引く）。さらに、第１ＤＣＩを検出できず第２ＤＣＩを検出した場合、上記方式１でタイマーをリセットする。
【００２８】
方式２：タイマーが切れると、タイマーのタイムアウト値を第２所定数の時間領域伝送ユニットだけ戻す。
【００２９】
ここで、第２所定数は、ＰＵＳＣＨの待ちおよび伝送の時間に含まれる時間領域伝送ユニットの数である第２値と、タイマーの現在値とタイマーのタイムアウト値との差である第３値との差以上である。タイマーが切れた後に、端末は、スケジューリングされたものの伝送されていないアップリンクデータがあれば、切れたタイマーの上に、第２所定数の時間領域伝送ユニットを待ってから、現在のＢＷＰからデフォルトＢＷＰに切り替わることで、スケジューリングされたアップリンクデータの正常の伝送を保証する。ここで、第２所定数は、ＰＵＳＣＨの待ちおよび伝送の時間（Ｍ＋Ｎ）、および、第２ＤＣＩが検出された時刻（すなわちタイマーの現在値）とタイマーのタイムアウト値との差によって決定される。すなわち、端末が、ＢＷＰの切り替えにおいて、タイマーが切れる前のアップリンクスケジューリングのみを考慮し、タイマーが切れた後の待ち時間に生じるアップリンクスケジューリングを考慮しないことを意味する。具体的に、端末は、タイマーが切れた後に、ネットワーク機器から送信される第１ＤＣＩと第２ＤＣＩを含むすべての情報を検出しない。
【００３０】
なお、上記第２値は、第２ＤＣＩとスケジューリング対象のＰＵＳＣＨとの間隔の時間領域伝送ユニット数（すなわちＰＵＳＣＨのスケジューリング待ち時間Ｍ）と、ＰＵＳＣＨに占用される時間領域伝送ユニット数（すなわちＰＵＳＣＨの伝送時間Ｎ）との和である。たとえば、ＬＴＥにおける単一サブフレームのスケジューリングにおいて、アップリンクスケジューリング遅延Ｋは、４であり、すなわちＭ＝３、Ｎ＝１に相当する。
【００３１】
さらに、本開示の実施例における非対称スペクトラムのＢＷＰ切り替え方法において、第１ＤＣＩを検出できずかつ第２ＤＣＩを検出した場合、検出した第２ＤＣＩによって、ＰＵＳＣＨのデフォルトＢＷＰへのマッピングを指示すると、タイマーによる計時を継続し、タイマーが切れると、現在のＢＷＰをデフォルトＢＷＰに切り替えることをさらに含む。すなわち、タイマーによる計時期間中に、端末が第１ＤＣＩを検出できず第２ＤＣＩを検出した場合、第２ＤＣＩによってスケジューリングされるＰＵＳＣＨのマッピング先となるＢＷＰが現在のＢＷＰであるか、デフォルトＢＷＰであるかを確定する必要があり、現在のＢＷＰであれば、上記実施例に基づいてタイマーのリセットが必要であるかを決定するが、デフォルトＢＷＰであれば、タイマーが切れると、直接現在のＢＷＰからデフォルトＢＷＰに切り替わる。このように、アップリンクスケジューリングが現在のＢＷＰにマッピングされるか、それともデフォルトＢＷＰにマッピングされるかにかかわらず、端末は、スケジューリングされたアップリンクデータの正常の伝送を保証することができる。
【００３２】
本開示の実施例における非対称スペクトラムのＢＷＰ切り替え方法において、端末は、ＰＤＳＣＨスケジューリング用の第１ＤＣＩとＰＵＳＣＨスケジューリング用の第２ＤＣＩの両方からタイマーのリセットを決定し、ＢＷＰの切り替えによるファジーのアップリンクスケジューリング問題を避け、ＢＷＰの切り替えにおける端末の正常のアップリンク伝送を保証することができる。
【００３３】
以上の実施例は、異なるシーンでの非対称スペクトラムのＢＷＰ切り替え方法をそれぞれ詳細に紹介した。以下、本実施例は、さらに図面を参照して対応する端末を紹介する。
【００３４】
図３に示すように、本開示の実施例の端末３００は、上記の実施例における、ＰＤＳＣＨスケジューリング用の第１ＤＣＩが検出されない場合、検出したＰＵＳＣＨスケジューリング用の第２ＤＣＩに基づいてタイマーをリセットし、リセットしたタイマーが切れると、現在のＢＷＰをデフォルトＢＷＰに切り替える方法の細部を実現可能であり、同一の効果を奏することもできる。当該端末３００は、具体的に、ＰＤＳＣＨスケジューリング用の第１ＤＣＩが検出されない場合、検出したＰＵＳＣＨスケジューリング用の第２ＤＣＩに基づいてタイマーをリセットするためのリセットモジュール３１０と、リセットしたタイマーが切れると、現在のＢＷＰをデフォルトＢＷＰに切り替えるための第１切り替えモジュール３２０を含む。
【００３５】
ここで、リセットモジュール３１０は、第２ＤＣＩが検出された場合、タイマーの現在値とタイマーのタイムアウト値との差がＰＵＳＣＨの待ちおよび伝送の時間より小さい場合、タイマーをリセットするための第１リセットサブモジュールを含む。
【００３６】
ここで、リセットモジュール３１０は、タイマーの現在値を第１所定数の時間領域伝送ユニットだけ戻すための第２リセットサブモジュールをさらに含む。ここで、第１所定数は、タイマーの現在値とタイマーの初期値との差である第１値と、ＰＵＳＣＨの待ちおよび伝送の時間に含まれる時間領域伝送ユニットの数である第２値のうちの小さいほうの値である。または、第１所定数は、第２値と、タイマーの現在値とタイマーのタイムアウト値との差である第３値との差以上である。
【００３７】
ここで、リセットモジュール３１０は、タイマーが切れると、タイマーのタイムアウト値を第２所定数の時間領域伝送ユニットだけ戻すための第３リセットサブモジュールをさらに含む。ここで、第２所定数は、ＰＵＳＣＨの待ちおよび伝送の時間に含まれる時間領域伝送ユニットの数である第２値と、タイマーの現在値とタイマーのタイムアウト値との差である第３値との差以上である。
【００３８】
ここで、第２値は、第２ＤＣＩとスケジューリング対象のＰＵＳＣＨとの間隔の時間領域伝送ユニット数と、ＰＵＳＣＨに占用される時間領域伝送ユニット数との和である。
【００３９】
ここで、時間領域伝送ユニットは、サブフレーム、スロット、ミニスロットおよび時間領域伝送シンボルのうちの一つを含む。
【００４０】
ここで、端末３００は、検出した第２ＤＣＩによって、ＰＵＳＣＨのデフォルトＢＷＰへのマッピングを指示すると、タイマーによる計時を継続するための計時モジュールと、タイマーが切れると、現在のＢＷＰをデフォルトＢＷＰに切り替えるための第２切り替えモジュールとをさらに含む。
【００４１】
なお、本開示の実施例における端末は、ＰＤＳＣＨスケジューリング用の第１ＤＣＩとＰＵＳＣＨスケジューリング用の第２ＤＣＩの両方からタイマーのリセットを決定し、ＢＷＰ切り替えによるファジーのアップリンクスケジューリング問題を避け、ＢＷＰ切り替えにおける端末の正常のアップリンク伝送を保証することができる。
【００４２】
上記目的をよりよく実現するために、さらに、図４は、本開示の各実施例を実現する端末のハードウェア構造概略図である。当該端末４０は、ラジオ周波数ユニット４１と、ネットワークモジュール４２と、音声出力ユニット４３と、入力ユニット４４と、センサ４５と、表示ユニット４６と、ユーザ入力ユニット４７と、インタフェースユニット４８と、メモリ４９と、プロセッサ４１０と、電源４１１などの構成要素を含むが、これらに限定されない。図４に示される端末の構造で端末を限定することはなく、端末は、図示されるよりも多いまたは少ない構成要素を含むことができ、または特定の構成要素を組み合わせることができ、または異なる構成要素の配置を含むことができることを、当業者は理解可能である。本開示の実施例において、端末は、携帯電話、タブレットパソコン、ノートパソコン、パームトップパソコン、車載端末、ウェアラブルデバイスおよび歩数計などを含むが、それらに限定されない。
【００４３】
ここで、ラジオ周波数ユニット４１は、プロセッサ４１０による制御でデータを送受信することに用いられる。
【００４４】
プロセッサ４１０は、ＰＤＳＣＨスケジューリング用の第１ＤＣＩが検出されない場合、検出したＰＵＳＣＨスケジューリング用の第２ＤＣＩに基づいてタイマーをリセットし、リセットしたタイマーが切れると、現在のＢＷＰをデフォルトＢＷＰに切り替えることに用いられる。
【００４５】
本開示の実施例における端末は、ＰＤＳＣＨスケジューリング用の第１ＤＣＩとＰＵＳＣＨスケジューリング用の第２ＤＣＩの両方からタイマーのリセットを決定し、ＢＷＰ切り替えによるファジーのアップリンクスケジューリング問題を避け、ＢＷＰ切り替えにおける端末の正常のアップリンク伝送を保証することができる。
【００４６】
なお、本開示の実施例において、ラジオ周波数ユニット４１は、情報の送受信または通話中で信号の送受信に用いられ、具体的に、基地局からのダウンリンクデータを受信した後、プロセッサ４１０による処理に供し、また、アップリンクデータを基地局に送信する。一般に、ラジオ周波数ユニット４１は、アンテナ、少なくとも１つの増幅器、トランシーバ、結合器、低雑音増幅器、デュプレクサなどを含むが、それらに限定されない。また、ラジオ周波数ユニット４１は、無線通信システムを介してネットワークや他の機器と通信を行うこともできる。
【００４７】
端末は、ネットワークモジュール４２を介して、電子メールの送受信、ウェブページの閲覧、ストリーミングメディアへのアクセスを支援するなど、無線ブロードバンドインターネットアクセスをユーザに提供する。
【００４８】
音声出力ユニット４３は、ラジオ周波数ユニット４１やネットワークモジュール４２が受信した音声データや、メモリ４９に記憶された音声データを音声信号に変換して音声として出力することができる。また、音声出力ユニット４３は、端末４０が実行する特定の機能に関する音声（例えば、呼出信号着信音、メッセージ着信音等）を出力してもよい。音声出力ユニット４３は、スピーカ、ブザーおよびレシーバなどを含む。
【００４９】
入力ユニット４４は、音声や映像の信号を受信することに用いられる。入力ユニット４４は、ビデオキャプチャモードまたは画像キャプチャモードでカメラなどの画像キャプチャ装置によって取得された静止画または動画の画像データを処理するグラフィックスプロセッサＧＰＵ（Ｇｒａｐｈｉｃｓ  Ｐｒｏｃｅｓｓｉｎｇ  Ｕｎｉｔ）４４１と、マイク４４２とを含む。処理された画像フレームは、表示ユニット４６上に表示される。グラフィックスプロセッサ４４１で処理された画像フレームは、メモリ４９（又は他の記憶媒体）に記憶されるか、又はラジオ周波数ユニット４１またはネットワークモジュール４２を介して送信される。マイク４４２は、音声を受信し、音声データに加工することができる。処理された音声データは、電話通話モードの場合、ラジオ周波数ユニット４１を介して移動通信基地局に送信可能な形式に変換して出力することができる。
【００５０】
端末４０は、光センサ、モーションセンサおよび他のセンサのような少なくとも１つのセンサ４５を更に含む。具体的には、光センサは、周辺光センサおよび近接センサを含む。周辺光センサは、周辺光の明暗に応じて表示パネル４６１の輝度を調節し、近接センサは、端末４０が耳に移動したときに表示パネル４６１および／またはバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ４５は、指紋センサ、圧力センサ、虹彩センサ、分子センサ、ジャイロスコープ、気圧計、湿度計、温度計、赤外線センサなどをさらに含むことができるが、ここでは枚挙しない。
【００５１】
表示ユニット４６は、ユーザが入力した情報やユーザに提供した情報を表示するために用いられる。表示ユニット４６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル４６１を含んでもよい。
【００５２】
ユーザ入力ユニット４７は、数字や文字情報の入力を受け付け、ユーザによる端末の設定や機能制御に関するキー信号の入力を行うことに用いられる。具体的に、ユーザ入力ユニット４７は、タッチパネル４７１と、その他の入力装置４７２とを含む。タッチパネル４７１は、タッチスクリーンとも呼ばれ、その上または付近でのユーザのタッチ操作を取得可能である（たとえばユーザが指やスタイラスなどの任意の適切な物体や付属部材を用いたタッチパネル４７１の上またはタッチパネル４７１の付近での操作）。タッチパネル４７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ４１０に送り、プロセッサ４１０からの命令を受信して実行する。なお、タッチパネル４７１は、抵抗膜式、静電容量式、赤外線、表面弾性波など、種々の方式を用いて実現することができる。ユーザ入力ユニット４７は、タッチパネル４７１の他に、他の入力装置４７２を含んでもよい。具体的に、他の入力装置４７２は、物理的なキーボード、機能キー（例えば、音量調節キー、スイッチキーなど）、トラックボール、マウス、レバーを含むが、ここでは枚挙しない。
【００５３】
さらに、タッチパネル４７１は、表示パネル４６１に重ねられる。タッチパネル４７１は、その上またはその近くでタッチ操作を検出すると、プロセッサ４１０に送信して、タッチイベントのタイプを決定する。次いで、プロセッサ４１０は、タッチイベントのタイプに応じて、対応する視覚的出力を表示パネル４６１に提供する。図４では、タッチパネル４７１と表示パネル４６１は、独立した２つの部品として端末の入出力機能を実現するが、実施例によっては、タッチパネル４７１と表示パネル４６１を一体化して端末の入出力機能を実現することもでき、具体的にここでは限定しない。
【００５４】
インタフェースユニット４８は、外部装置と端末４０とを接続するためのインタフェースである。例えば、外部装置は、有線または無線ヘッドホンポート、外部電源（又はバッテリ充電器）ポート、有線または無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェースユニット４８は、外部装置から入力（たとえば、データ情報、電力など）を受信し、受信した入力を端末４０内の１つ以上の要素に伝送するために使用されてもよく、または端末４０と外部装置との間でデータを伝送するために使用されてもよい。
【００５５】
メモリ４９は、ソフトウェアプログラムおよび様々なデータを格納するために使用される。メモリ４９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。さらに、メモリ８９は、高速ランダムアクセスメモリを含んでもよく、少なくとも１つの磁気ディスク記憶装置、フラッシュメモリデバイスなどの不揮発性メモリ、または他の揮発性固体記憶デバイスを含んでもよい。
【００５６】
プロセッサ４１０は、端末の制御センタであり、各種インタフェースや回線を用いて端末全体の各部を接続し、メモリ４９に格納されたソフトウェアプログラムおよび／またはモジュールを実行し、メモリ４９に格納されたデータを呼び出して端末の各種機能および処理データを実行し、端末全体の監視を行う。プロセッサ４１０は、１つ以上の処理ユニットを含んでもよい。選択可能に、プロセッサ４１０は、オペレーティングシステム、ユーザインターフェースおよびアプリケーションなどを主に処理するアプリケーションプロセッサと、ワイヤレス通信を主に処理するモデムプロセッサとを統合することができる。上述のモデムプロセッサは、プロセッサ４１０に統合されなくてもよいことが理解される。
【００５７】
端末４０は、各構成要素に電力を供給するためのバッテリのような電源４１１をさらに含んでもよい。選択可能に、電源４１１は、電源管理システムを介してプロセッサ４１０に論理的に接続されてもよく、電源管理システムを介して充電、放電、および消費電力管理などを管理する機能を実現してもよい。
【００５８】
また、端末４０は、図示しない機能モジュールをさらに含んでもよく、ここでの説明は省略する。
【００５９】
選択可能に、本開示の実施例は、プロセッサ４１０と、メモリ４９と、メモリ４９に格納されて前記プロセッサ４１０で実行可能なコンピュータプログラムを含む端末をさらに提供する。当該コンピュータプログラムがプロセッサ４１０によって実行されると、上記の非対称スペクトラムのＢＷＰ切り替え方法の実施例の各ステップが実現され、かつ同じ技術効果を奏することもできるため、重複を避けるために、ここでは繰り返して記載しない。ここで、端末機器は、無線端末であってもよく有線端末であってもよい。無線端末とは、ユーザに音声および／またはほかのサービスデータの接続性を提供する機器、無線接続機能を有するポータブル式機器、または、無線モデムに接続されるほかの処理機器である。無線端末は、ＲＡＮ（Ｒａｄｉｏ  Ａｃｃｅｓｓ  Ｎｅｔｗｏｒｋ）を介して一つまたは複数のコアネットワークと通信する。無線端末は、移動電話（またはセルラ電話と称される）などの移動端末や、携帯式、ポータブル式、ハンドヘルド式、コンピュータ内蔵または車載の移動端末など、移動端末を有するコンピュータであり、無線アクセルネットワークとは音声および／またはデータをやり取りする。たとえば、ＰＣＳ（Ｐｅｒｓｏｎａｌ  Ｃｏｍｍｕｎｉｃａｔｉｏｎ  Ｓｅｒｖｉｃｅ）電話、ワイヤレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、購読ユニット（Ｓｕｂｓｃｒｉｂｅｒ  Ｕｎｉｔ）、購読局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、遠隔局（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と称してもよく、ここでは限定しない。
【００６０】
本開示の実施例は、コンピュータプログラムが格納されているコンピュータ読み取り可能な記憶媒体をさらに提供し、当該コンピュータプログラムがプロセッサによって実行されると、上記の非対称スペクトラムのＢＷＰ切り替え方法の実施例の各プロセスが実現され、かつ同じ技術効果を奏することもできるため、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど等である。
【００６１】
以上の実施例は、端末側から本開示の非対称スペクトラムのＢＷＰ切り替え方法を紹介した。以下、本実施例において、さらに図面を参照して、ネットワーク機器側の非対称スペクトラムのＢＷＰ切り替え方法を紹介する。
【００６２】
図５に示すように、本開示の実施例における非対称スペクトラムのＢＷＰ切り替え方法は、ネットワーク機器側に応用され、具体的に以下のステップを含む。
【００６３】
ステップ５１において、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングする。
【００６４】
ここで、所定数は、プロトコルまたはネットワーク機器で予め定義された値であってもよく、端末のタイマーに含まれる時間領域伝送ユニットの数と、ＰＵＳＣＨの待ちおよび伝送の時間に含まれる時間領域伝送ユニットの数との差であってもよい。具体的に、タイマーにＴ個の時間領域伝送ユニットが含まれ、ＰＵＳＣＨの待ちおよび伝送の時間が（Ｍ＋Ｎ）であるとする。ここで、ＰＵＳＣＨの待ち時間に含まれる時間領域伝送ユニット数は、スケジューリング対象のＰＵＳＣＨと検出されたＰＤＣＣＨとの間隔の時間領域伝送ユニット数（すなわちＰＵＳＣＨのスケジューリング遅延Ｍ）、および、ＰＵＳＣＨに占用される時間領域伝送ユニット数（すなわちＰＵＳＣＨの伝送時間Ｎ）との和である。すなわち、ネットワーク機器は、Ｔ−Ｍ−Ｎ個のｓｌｏｔ内でダウンリンクスケジューリングもなくアップリンクスケジューリングもなく、タイマーの最後のＭ＋Ｎ個のｓｌｏｔ内でアップリンクスケジューリングが必要であれば、直接ＰＵＳＣＨをデフォルトＢＷＰにスケジューリングする。それによって、端末は、タイマーが切れた後に現在のＢＷＰからデフォルトＢＷＰに切り替わっても、スケジューリングされたＰＵＳＣＨをデフォルトＢＷＰによって伝送できる。なお、現在のＢＷＰとデフォルトＢＷＰとはヌメロロジーが異なる可能性があるため、ＰＵＳＣＨの最小スケジューリング遅延Ｍを考慮する必要がある。ここで、時間領域伝送ユニットは、サブフレーム、スロットｓｌｏｔ、ミニスロットｍｉｎｉ−ｓｌｏｔおよび時間領域伝送シンボルのうちの一つを含む。本実施例では、ｓｌｏｔを例とする。
【００６５】
具体的に、ネットワーク機器が次回のＰＵＳＣＨをデフォルトＢＷＰにスケジューリングすることは、現在のＢＷＰによってスケジューリングしてもよくデフォルトＢＷＰによってスケジューリングしてもよい。ステップ５１は、端末が現在のＢＷＰからデフォルトＢＷＰに切り替わると、次回のＰＵＳＣＨをデフォルトＢＷＰにスケジューリングするための第２ＤＣＩをデフォルトＢＷＰによって端末に送信することを含む。すなわち、ネットワーク機器は、Ｔ−Ｍ−Ｎ個のｓｌｏｔ内でダウンリンクスケジューリングもなくアップリンクスケジューリングもなく、タイマーの最後のＭ＋Ｎ個のｓｌｏｔ内でアップリンクスケジューリングが必要であれば、後のＭ＋Ｎ個のｓｌｏｔでＰＵＳＣＨをスケジューリングすることなく、端末のタイマーが切れた後に、デフォルトＢＷＰによってスケジューリングする。または、ステップ５１は、次回のＰＵＳＣＨをデフォルトＢＷＰにスケジューリングするための第２ＤＣＩを現在のＢＷＰによって端末に送信することを含む。すなわち、ネットワーク機器は、Ｔ−Ｍ−Ｎ個のｓｌｏｔ内でダウンリンクスケジューリングもなくアップリンクスケジューリングもなく、タイマーの最後のＭ＋Ｎ個のｓｌｏｔ内でアップリンクスケジューリングが必要であれば、後のＭ＋Ｎ個のｓｌｏｔでＰＵＳＣＨをスケジューリングするものの、当該ＰＵＳＣＨをデフォルトＢＷＰにスケジューリングする。
【００６６】
本開示の実施例における非対称スペクトラムのＢＷＰ切り替え方法において、ネットワーク機器が、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを端末のデフォルトＢＷＰにスケジューリングすることによって、ＢＷＰ切り替えによるファジーのアップリンクスケジューリング問題を避け、ＢＷＰ切り替えにおける端末の正常のアップリンク伝送を保証することができる。
【００６７】
以上の実施例は、異なるシーンで非対称スペクトラムのＢＷＰ切り替え方法を紹介した。以下、さらに、図面を参照して対応するネットワーク機器を紹介する。
【００６８】
図６に示すように、本開示の実施例におけるネットワーク機器６００は、上記実施例における、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを端末のデフォルトＢＷＰにスケジューリングする方法の細部を実現可能であり、同じ効果を奏することもできる。当該ネットワーク機器６００は、具体的に、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを端末のデフォルトＢＷＰにスケジューリングするためのスケジューリングモジュール６１０を含む。
【００６９】
ここで、所定数は、端末のタイマーに含まれる時間領域伝送ユニットの数と、ＰＵＳＣＨの待ちおよび伝送の時間に含まれる時間領域伝送ユニットの数との差である。
【００７０】
ここで、スケジューリングモジュール６１０は、端末が現在のＢＷＰからデフォルトＢＷＰに切り替わると、次回のＰＵＳＣＨをデフォルトＢＷＰにスケジューリングするための第２ＤＣＩをデフォルトＢＷＰによって端末に送信するための第１スケジューリングサブモジュール、または、次回のＰＵＳＣＨをデフォルトＢＷＰにスケジューリングするための第２ＤＣＩを現在のＢＷＰによって端末に送信するための第２スケジューリングサブモジュールを含む。
【００７１】
ここで、時間領域伝送ユニットは、サブフレーム、スロット、ミニスロットおよび時間領域伝送シンボルのうちの一つを含む。
【００７２】
本開示の実施例におけるネットワーク機器が、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを端末のデフォルトＢＷＰにスケジューリングすることによって、ＢＷＰ切り替えによるファジーのアップリンクスケジューリング問題を避け、ＢＷＰ切り替えにおける端末の正常のアップリンク伝送を保証することができる。
【００７３】
なお、以上のネットワーク機器と端末の各モジュールの区分は、単に論理的機能の区分であり、実際に実現する際に、すべてまたは一部を一つの物理的エンティティに集積してもよく、物理的に分けてもよい。かつこれらのモジュールは、すべて処理素子によって呼び出されるソフトウェアの形式で実現されてもよく、すべてハードウェアの形式で実現されてもよく、さらに、一部が処理素子によって呼び出されるソフトウェアの形式で実現され、一部がハードウェアの形式で実現されるのもよい。たとえば、決定モジュールは、単独に設けられた処理素子であってもよく、上記装置のあるチップに集積して実現してもよく、また、プログラムコードの形式で上記装置のメモリに格納され、上記装置のある処理素子によって呼び出されて、上記決定モジュールの機能を実行するのもよい。ほかのモジュールの実現は、上記モジュールに類似する。また、これらのモジュールは、すべてまたは一部を一体に集積してもよく、独自に実現されてもよい。ここに記載した処理素子は、信号処理力を有する集積回路であってもよい。実現において、上記方法の各ステップまたは以上の各モジュールは、処理素子におけるハードウェアの集積論理回路またはソフトウェア形式の指令によって完成される。
【００７４】
たとえば、以上のこれらのモジュールは、たとえば一つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、一つまたは複数のマイクロプロセッサ、一つまたは複数のＤＳＰ（ｄｉｇｉｔａｌ  ｓｉｇｎａｌ  ｐｒｏｃｅｓｓｏｒ）、一つまたは複数のＦＰＧＡ（Ｆｉｅｌｄ  Ｐｒｏｇｒａｍｍａｂｌｅ  Ｇａｔｅ  Ａｒｒａｙ）など、以上の方法を実施する一つまたは複数の集積回路として配置されてもよい。また、たとえば、上記のあるモジュールが処理素子でプログラムコードを呼び出す形式で実現される場合、当該処理素子は、ＣＰＵ（Ｃｅｎｔｒａｌ  Ｐｒｏｃｅｓｓｉｎｇ  Ｕｎｉｔ）など汎用プロセッサ、またはそれ以外のプログラムコードを呼び出すことのできるプロセッサである。また、たとえば、これらのモジュールは、一体に集積され、ＳＯＣ（ｓｙｓｔｅｍ−ｏｎ−ａ−ｃｈｉｐ）の形式で実現されてもよい。
【００７５】
上記目的をよりよく実現するために、本開示の実施例は、プロセッサと、メモリと、メモリに格納されてプロセッサで実行可能なコンピュータプログラムを含むネットワーク機器をさらに提供する。プロセッサは、コンピュータプログラムを実行すると、上記の非対称スペクトラムのＢＷＰ切り替え方法のステップを実現する。本開示の実施例は、コンピュータプログラムが格納されているコンピュータ読み取り可能な記憶媒体をさらに提供する。コンピュータプログラムがプロセッサによって実行されると、上記の非対称スペクトラムのＢＷＰ切り替え方法のステップが実現される。
【００７６】
具体的に、本開示の実施例は、ネットワーク機器をさらに提供する。図７に示すように、当該ネットワーク機器７００は、アンテナ７１と、ラジオ周波数装置７２と、バースバンド装置７３とを含む。アンテナ７１は、ラジオ周波数装置７２に接続される。アップリンクにおいて、ラジオ周波数装置７２は、アンテナ７１を介して情報を受信し、受信した情報をベースバンド装置７３に送信してその処理に供する。ダウンリンクにおいて、ベースバンド装置７３は、送信対象の情報を処理してラジオ周波数装置７２に送信する。ラジオ周波数装置７２は、受信した情報を処理してからアンテナ７１を介して送信する。
【００７７】
上記周波数帯域処理装置は、ベースバンド装置７３に位置する。以上の実施例においてネットワーク機器によって実行される方法は、ベースバンド装置７３で実現可能である。当該ベースバンド装置７３は、プロセッサ７４とメモリ７５を含む。
【００７８】
ベースバンド装置７３は、たとえば少なくとも一つのベースバンドボードを含む。当該ベースバンドボードには、複数のチップが設けられている。図７に示すように、そのうちの一つのチップは、たとえばプロセッサ７４であり、メモリ７５に接続し、メモリ７５からプログラムを呼び出すことによって、上記の方法実施例に示すネットワーク機器の動作を実行する。
【００７９】
当該ベースバンド装置７３は、ラジオ周波数装置７２と情報をやり取りするためのネットワークインターフェース７６をさらに含む。当該インタフェースは、たとえばＣＰＲＩ（ｃｏｍｍｏｎ  ｐｕｂｌｉｃ  ｒａｄｉｏ  ｉｎｔｅｒｆａｃｅ）である。
【００８０】
ここのプロセッサは、一つのプロセッサであってもよく、複数の処理素子の総称であってもよい。例えば、当該プロセッサは、ＣＰＵであってもよく、ＡＳＩＣであってもよく、または、一つまたは複数のマイクロプロセッサ、一つまたは複数のＤＳＰ、または一つまたは複数のＦＰＧＡなど、上記ネットワーク機器によって実行される方法を実施する一つまたは複数の集積回路として配置されてもよい。格納素子は、一つのメモリであってもよく、複数の格納素子の総称であってもよい。
【００８１】
メモリ７５は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本願に記載のメモリ７５は、これらに限られず、これらおよびこれら以外の任意の適合する種類のメモリを含むとする。
【００８２】
具体的に、本開示の実施例のネットワーク機器は、メモリ７５に格納されてプロセッサ７４で実行可能なコンピュータプログラムをさらに含む。プロセッサ７４は、メモリ７５からコンピュータプログラムを呼び出して、図６に示す各モジュールによって実行される方法を実行する。
【００８３】
具体的に、コンピュータプログラムがプロセッサ７４によって呼び出されて、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを端末のデフォルトＢＷＰにスケジューリングすることを実行することに用いられる。
【００８４】
ここで、所定数は、端末のタイマーに含まれる時間領域伝送ユニットの数と、ＰＵＳＣＨの待ちおよび伝送の時間に含まれる時間領域伝送ユニットの数との差である。
【００８５】
具体的に、コンピュータプログラムがプロセッサ７４によって呼び出されて、端末が現在のＢＷＰからデフォルトＢＷＰに切り替わると、次回のＰＵＳＣＨをデフォルトＢＷＰにスケジューリングするための第２ＤＣＩをデフォルトＢＷＰによって端末に送信すること、または、次回のＰＵＳＣＨをデフォルトＢＷＰにスケジューリングするための第２ＤＣＩを現在のＢＷＰによって端末に送信することを実行することに用いられる。
【００８６】
ここで、時間領域伝送ユニットは、サブフレーム、スロット、ミニスロットおよび時間領域伝送シンボルのうちの一つを含む。
【００８７】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）やＣＤＭＡ（Ｃｏｄｅ  Ｄｉｖｉｓｉｏｎ  Ｍｕｌｔｉｐｌｅ  Ａｃｃｅｓｓ）でのＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）でのＮＢ（ＮｏｄｅＢ）であってもよく、さらにＬＴＥでのｅＮＢまたはｅＮｏｄｅＢ（Ｅｖｏｌｕｔｉｏｎａｌ  Ｎｏｄｅ  Ｂ）または中継局またはアクセスポイント、または、将来の５Ｇネットワークでの基地局であってもよいが、ここでは限定しない。
【００８８】
本開示の実施例におけるネットワーク機器が、ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングすることによって、ＢＷＰ切り替えによるファジーのアップリンクスケジューリング問題を避け、ＢＷＰ切り替えにおける端末の正常のアップリンク伝送を保証することができる。
【００８９】
本明細書に開示された実施例に記載の各例のユニットおよびアルゴリズムのステップが、電子ハードウェア、またはコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【００９０】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【００９１】
本願で提供されるいくつかの実施例において、開示された装置および方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【００９２】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部またはすべてのユニットを選択して本開示の実施例の目的を実現する。
【００９３】
また、本開示の各実施例における各機能的ユニットは、１つの処理ユニットに一体化されていてもよいし、物理的に別々に設けられていてもよいし、２つ以上が一体化されてもよい。
【００９４】
前記機能は、ソフトウェア機能ユニットの形式で実現され、独立した製品として販売または使用される場合、コンピュータ読み取り可能な記憶媒体に格納されてもよい。このような理解に基づき、本開示の技術手段の実質的または従来技術に貢献した部分、または当該技術手段の部分は、ソフトウェアプロダクトの形式で現れる。当該コンピュータソフトウェアプロダクトは、記憶媒体に記憶され、本開示の各実施例に記載の方法のすべてまたは一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスクまたは光ディスクなど、プログラムコードを格納することができる様々な媒体を含む。
【００９５】
また、本開示の装置や方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【００９６】
したがって、本開示の目的は、任意の計算装置で１つまたは一連のプログラムを実行することによっても実現されうる。前記計算装置は、周知されている汎用装置である。したがって、本開示の目的は、前記方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【００９７】
以上の記載は、本開示の選択可能な実施形態である。当業者は、本開示に記載の原理を逸脱せずにいくつかの改良や修飾を行うこともできる。これらの改良や修飾も、本開示の保護範囲内にある。
【図１】
2021500810.tif 000003
【図２】
2021500810.tif 000004
【図３】
2021500810.tif 000005
【図４】
2021500810.tif 000006
【図５】
2021500810.tif 000007
【図６】
2021500810.tif 000008
【図７】
2021500810.tif 000009
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
端末側に応用される非対称スペクトラムのＢＷＰ（ｂａｎｄｗｉｄｔｈ  ｐａｒｔ）切り替え方法において、
ＰＤＳＣＨ（Ｐｈｙｓｉｃａｌ  Ｄｏｗｎｌｉｎｋ  Ｓｈａｒｅ  Ｃｈａｎｎｅｌ）スケジューリング用の第１ＤＣＩ（Ｄｏｗｎｌｉｎｋ  Ｃｏｎｔｒｏｌ  Ｉｎｆｏｒｍａｔｉｏｎ）が検出されない場合、検出したＰＵＳＣＨ（Ｐｈｙｓｉｃａｌ  Ｕｐｌｉｎｋ  Ｓｈａｒｅ  Ｃｈａｎｎｅｌ）スケジューリング用の第２ＤＣＩに基づいてタイマーをリセットするステップと、
リセットしたタイマーが切れると、現在のＢＷＰをデフォルトＢＷＰに切り替えるステップとを含む、非対称スペクトラムのＢＷＰ切り替え方法。
【請求項２】
検出したＰＵＳＣＨスケジューリング用の第２ＤＣＩに基づいてタイマーをリセットするステップは、
前記第２ＤＣＩが検出された場合、タイマーの現在値とタイマーのタイムアウト値との差がＰＵＳＣＨの待ちおよび伝送の時間より小さい場合、前記タイマーをリセットするステップを含む、請求項１に記載の非対称スペクトラムのＢＷＰ切り替え方法。
【請求項３】
前記タイマーをリセットするステップは、
タイマーの現在値を第１所定数の時間領域伝送ユニットだけ戻すことを含み、
ここで、前記第１所定数は、タイマーの現在値とタイマーの初期値との差である第１値と、ＰＵＳＣＨの待ちおよび伝送の時間に含まれる時間領域伝送ユニットの数である第２値のうちの小さいほうの値であり、
または、
前記第１所定数は、前記第２値と、タイマーの現在値とタイマーのタイムアウト値との差である第３値との差以上である、請求項１に記載の非対称スペクトラムのＢＷＰ切り替え方法。
【請求項４】
前記タイマーをリセットするステップは、
タイマーが切れると、タイマーのタイムアウト値を第２所定数の時間領域伝送ユニットだけ戻すことを含み、
ここで、前記第２所定数は、ＰＵＳＣＨの待ちおよび伝送の時間に含まれる時間領域伝送ユニットの数である第２値と、タイマーの現在値とタイマーのタイムアウト値との差である第３値との差以上である、請求項１に記載の非対称スペクトラムのＢＷＰ切り替え方法。
【請求項５】
前記第２値は、前記第２ＤＣＩとスケジューリング対象の前記ＰＵＳＣＨとの間隔の時間領域伝送ユニット数と、前記ＰＵＳＣＨに占用される時間領域伝送ユニット数との和である、請求項３または４に記載の非対称スペクトラムのＢＷＰ切り替え方法。
【請求項６】
前記時間領域伝送ユニットは、サブフレーム、スロット、ミニスロットおよび時間領域伝送シンボルのうちの一つを含む、請求項３に記載の非対称スペクトラムのＢＷＰ切り替え方法。
【請求項７】
検出したＰＵＳＣＨスケジューリング用の第２ＤＣＩに基づいてタイマーをリセットするステップは、
前記検出した第２ＤＣＩによって、前記ＰＵＳＣＨのデフォルトＢＷＰへのマッピングを指示すると、前記タイマーが計時を継続するステップを含み、
前記タイマーが計時を継続するステップの後に、
前記タイマーが切れると、現在のＢＷＰをデフォルトＢＷＰに切り替えるステップをさらに含む、請求項１に記載の非対称スペクトラムのＢＷＰ切り替え方法。
【請求項８】
ＰＤＳＣＨスケジューリング用の第１ＤＣＩが検出されない場合、検出したＰＵＳＣＨスケジューリング用の第２ＤＣＩに基づいてタイマーをリセットするためのリセットモジュールと、
リセットしたタイマーが切れると、現在のＢＷＰをデフォルトＢＷＰに切り替えるための第１切り替えモジュールとを含む、端末。
【請求項９】
前記リセットモジュールは、
前記第２ＤＣＩが検出された場合、タイマーの現在値とタイマーのタイムアウト値との差がＰＵＳＣＨの待ちおよび伝送の時間より小さい場合、前記タイマーをリセットするための第１リセットサブモジュールを含む、請求項８に記載の端末。
【請求項１０】
前記リセットモジュールは、
タイマーの現在値を第１所定数の時間領域伝送ユニットだけ戻すための第２リセットサブモジュールをさらに含み、
ここで、前記第１所定数は、タイマイーの現在値とタイマーの初期値との差である第１値と、ＰＵＳＣＨの待ちおよび伝送の時間に含まれる時間領域伝送ユニットの数である第２値のうちの小さいほうの値であり、
または、
前記第１所定数は、前記第２値と、タイマーの現在値とタイマーのタイムアウト値との差である第３値との差以上である、請求項８に記載の端末。
【請求項１１】
ネットワーク機器側に応用される非対称スペクトラムのＢＷＰ切り替え方法において、
ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングするステップを含む、非対称スペクトラムのＢＷＰ切り替え方法。
【請求項１２】
前記所定数は、端末のタイマーに含まれる時間領域伝送ユニットの数と、ＰＵＳＣＨの待ちおよび伝送の時間に含まれる時間領域伝送ユニットの数との差である、請求項１１に記載の非対称スペクトラムのＢＷＰ切り替え方法。
【請求項１３】
次回のＰＵＳＣＨを前記端末のデフォルトＢＷＰにスケジューリングするステップは、
前記端末が現在のＢＷＰからデフォルトＢＷＰに切り替わると、次回のＰＵＳＣＨをデフォルトＢＷＰにスケジューリングするための第２ＤＣＩをデフォルトＢＷＰによって端末に送信するステップ、
または、
次回のＰＵＳＣＨをデフォルトＢＷＰにスケジューリングするための第２ＤＣＩを現在のＢＷＰによって端末に送信するステップを含む、請求項１１に記載の非対称スペクトラムのＢＷＰ切り替え方法。
【請求項１４】
前記時間領域伝送ユニットは、サブフレーム、スロット、ミニスロットおよび時間領域伝送シンボルのうちの一つを含む、請求項１１に記載の非対称スペクトラムのＢＷＰ切り替え方法。
【請求項１５】
ＰＤＳＣＨスケジューリング用の第１ＤＣＩとＰＵＳＣＨスケジューリング用の第２ＤＣＩを、所定数の連続する時間領域伝送ユニット内で端末に送信しない場合、次回のＰＵＳＣＨを前記端末のデフォルトＢＷＰにスケジューリングするためのスケジューリングモジュールを含む、ネットワーク機器。
【国際調査報告】
2021500810.tif 000010
2021500810.tif 000011
2021500810.tif 000012
2021500810.tif 000013